(57)【要約】      （修正有）【課題】テープ剤やパップ剤などの貼付剤を簡単にセットすることができ、皺を作らず綺麗に貼ることができる貼付用補助具を提供する。【解決手段】予め貼付剤Ｐの周辺部に設けられた表裏に貫通した少なくとも２つの貫通部Ｐ１と、プレート部又はローラー部の押し付け面２１ａの周辺部に設けられた少なくとも２つの凸部からなる仮止め手段２２とを互いに係合させることにより、粘着シートや面ファスナーなどを用いることなく、貼付剤Ｐをプレート部又はローラー部の押し付け面２１ａに簡単に仮止めすることができる。【選択図】図６
2020039659.tif 000002
【特許請求の範囲】
【請求項１】
貼付剤を仮止めして身体に押し付けるためのプレート部と、該プレート部の押し付け面に設けられた仮止め手段と、を備えた貼付剤の貼付用補助具において、
前記貼付剤の周辺部に表裏に貫通した少なくとも２つの貫通部が設けられており、前記仮止め手段が前記プレート部の押し付け面の周辺部に設けられた少なくとも２つの凸部からなり、前記少なくとも２つの貫通部と前記少なくとも２つの凸部とを互いに係合させることにより、前記貼付剤が前記プレート部の押し付け面に仮止めされることを特徴とする、前記貼付剤の貼付用補助具。
【請求項２】
貼付剤を仮止めして身体に押し付けるためのローラー部と、該ローラー部の押し付け面に設けられた仮止め手段と、前記ローラー部を回動自在に軸支する支持部と、該支持部に連結された把持部と、を備えた貼付剤の貼付用補助具において、
前記貼付剤の周辺部に表裏に貫通した少なくとも２つの貫通部が設けられており、前記仮止め手段が前記ローラー部の押し付け面の周辺部に設けられた少なくとも２つの凸部からなり、前記少なくとも２つの貫通部と前記少なくとも２つの凸部とを互いに係合させることにより、前記貼付剤が前記ローラー部の押し付け面に仮止めされることを特徴とする、前記貼付剤の貼付用補助具。
【請求項３】
貫通部が略円形の穴であり、凸部が略円柱形状又は略円錐形状であることを特徴とする、請求項１又は２に記載の貼付剤の貼付用補助具。
【請求項４】
プレート部又はローラー部の押し付け面が弾性素材から形成されており、押し付ける力に対応して前記押し付け面が身体の形状に沿って変形できることを特徴とする、請求項１乃至３の何れかに記載の貼付剤の貼付用補助具。
【請求項５】
プレート部の押し付け面の少なくとも一方向に延在して複数の凹溝が設けられており、押し付ける力に対応して前記押し付け面が身体の形状に沿って変形できることを特徴とする、請求項１、３及び４の何れかに記載の貼付剤の貼付用補助具。
【請求項６】
凸部がプレート部又はローラー部の押し付け面に直交する方向に摺動可能に設けられており、押し付ける力に対応して前記凸部が前記プレート部又はローラー部の内側に収納されることを特徴とする、請求項１乃至５の何れかに記載の貼付剤の貼付用補助具。
【請求項７】
凸部がプレート部又はローラー部の押し付け面から外側に向かって弾性部材により付勢されていることを特徴とする、請求項６に記載の貼付剤の貼付用補助具。
【請求項８】
凸部の基部にロック機構が設けられており、前記凸部の先端部が押し付け面と略同一面まで押し込まれるとロックされることを特徴とする、請求項７に記載の貼付剤の貼付用補助具。
【請求項９】
さらに、プレート部の外周側面及び／又は把持面に隣接して配置された外枠体を備え、前記プレート部の周辺部に押し付け面に直交する少なくとも２つの貫通孔が設けられ、少なくとも２つの凸部が前記少なくとも２つの貫通孔に貫装され、前記少なくとも２つの凸部の基部が前記プレート部の把持面側で前記外枠体に連結され、前記プレート部が前記少なくとも２つの凸部及び前記外枠体に対して摺動可能に構成されていることを特徴とする、請求項１及び３乃至５の何れかに記載の貼付剤の貼付用補助具。
【請求項１０】
支持体と、該支持体の片面に積層された粘着剤層と、該粘着剤層の粘着面に剥離可能に被覆された剥離ライナーとを備えた貼付剤を、身体の所望の部位に貼付する方法において、
前記貼付剤の周辺部に表裏に貫通した少なくとも２つの貫通部を設ける段階と、請求項１乃至９の何れかに記載の貼付用補助具が備えるプレート部又はローラー部の押し付け面に設けられた少なくとも２つの凸部と前記少なくとも２つの貫通部とを係合させ、前記押し付け面に前記貼付剤を支持体側が対向するように仮止めする段階と、前記仮止めした貼付剤の剥離ライナーを剥がし粘着面を露出させて身体の所望の部位に押し当てる段階と、を含むことを特徴とする前記貼付剤の貼付方法。
【発明の詳細な説明】
【技術分野】
【０００１】
本発明は、テープ剤やパップ剤などの貼付剤を簡単な操作で綺麗に貼ることができる貼付用補助具、及びそれを用いた貼付方法に関する。より詳しくは、貼付剤を簡単にセットすることができ皺を作らず綺麗に貼ることができる、背部や腰部など手の届きにくい患部に適したプレート式、及び上肢や下肢など曲面の患部に適したローラー式の貼付用補助具に関する。また、それらを用いた貼付剤の貼付方法に関する。
【背景技術】
【０００２】
現在、腰痛や膝痛、筋肉痛や関節痛等の消炎鎮痛のために、非ステロイド性抗炎症薬（ＮＳＡＩＤｓ）を含むテープ剤やパップ剤等の貼付剤が広く用いられている。これらの貼付剤は、一般的に、患部の形状や動きに追随できるように柔軟で伸縮性のある支持体の片面に、薬剤を含有し簡単に剥がれないように所定の粘着力を有する粘着剤層を積層し、その粘着面を剥離ライナーで被覆して構成されている。
【０００３】
貼付剤を患部に貼る際に粘着面の剥離ライナーを剥がすと、支持体が柔軟で剛性がないため粘着面同士が部分的に粘着しやすく、一度粘着してしまうと綺麗に剥がすことが難しい。また、慎重に貼ろうとしても意図した箇所と異なる箇所に貼ってしまうことや、皺が寄った状態で貼ってしまうことも多い。特に、支持体の薄いテープ剤においてこれら問題が起きやすい。
【０００４】
そのため、手先の細かい動きが苦手な高齢者や手の自由が効かない患者にとって、貼付剤を所望の患部に正確に綺麗に貼ることは、意外に神経を使う面倒な作業である。また、背部や腰部など手が届きにくい患部に貼ることは、一人では実質的に困難であり他人の手を借りる必要がある。
【０００５】
そこで、貼付剤を患部に正確に綺麗に貼ることを目的とした各種の貼付用補助具が提案されている。従来からあるシンプルな構造のものは、身体に押し付けるプレート面やローラー面に、貼付剤の支持体を仮止めして剥離ライナーを剥がし、身体に粘着面を押し付けて貼付剤を患部に貼り付ける方式のものである（例えば、特許文献１〜４）。
【０００６】
これらの貼付用補助具では、仮止め手段として着脱容易な粘着シートや面ファスナーなどを用いるため、構造が単純となり製作コストを抑えることができる。また、貼付剤を補助具にセットする操作や、貼付剤を患部に貼り付ける操作が、とても簡単で直感的にも分かりやすい。
【０００７】
また、特許文献５には、身体に押し付ける面に複数の接着突起を設けて貼付剤の支持体を仮止めし、身体に粘着面を押し付ける際にコントロールラインを引くと、接着突起がボックス内に下降して貼付剤が切り離される構造の貼付用補助具が開示されている。この貼付用補助具を用いることにより、一人で貼付剤を背部の痛い箇所に的確に貼ることができるとされている。
【先行技術文献】
【特許文献】
【０００８】
【特許文献１】実用新案登録第３１４６２９７号公報
【特許文献２】実用新案登録第３１５４３２５号公報
【特許文献３】特開２００６−３４６０７８号公報
【特許文献４】実用新案登録第３１２０２１５号公報
【特許文献５】実開平６−７５５０８号公報
【発明の概要】
【発明が解決しようとする課題】
【０００９】
しかしながら、上記の粘着シートや面ファスナーなどを用いるシンプルな構造の貼付用補助具では、貼付剤を補助具へ仮止めする保持力と、貼付剤を患部へ貼り付ける粘着力とのバランス取りがとても難しい。また、貼付剤を補助具へ仮止めする作業状況や粘着シートなど仮止め手段の経時変化により、仮止めの保持力が大きく変化してしまう。そのため、常に安定した操作感を得ることが構造的に難しく、十分に機能を発揮できないため実用性に乏しかった。
【００１０】
また、特許文献５に開示されている貼付用補助具では、構造が複雑となり製作コストが嵩み、貼付剤を補助具にセットする操作や、貼付剤を患部に貼り付ける操作が煩雑である。さらに、接着突起上面に粘着シートを用いるため、上記と同様に仮止めの保持力と貼り付けの粘着力とのバランス取りや、仮止めの保持力が作業や経時により大きく変化する問題が十分に解決されていない。
【００１１】
本発明は、上記課題に鑑みてなされたものであり、シンプルな構造に基づく低廉な製作コストと、貼付剤のセットや貼り付けの操作が簡単で直感的に分かりやすい利点を維持しながら、仮止め手段として粘着シートなどを用いることなく、常に安定した操作感と機能性を得ることができる、実用性の高い貼付剤の貼付用補助具を提供することを目的とする。
【課題を解決するための手段】
【００１２】
上記課題を解決するため、本発明の貼付剤の貼付用補助具は、貼付剤を仮止めして身体に押し付けるためのプレート部と、該プレート部の押し付け面に設けられた仮止め手段と、を備えた貼付剤の貼付用補助具において、前記貼付剤の周辺部に表裏に貫通した少なくとも２つの貫通部が設けられており、前記仮止め手段が前記プレート部の押し付け面の周辺部に設けられた少なくとも２つの凸部からなり、前記少なくとも２つの貫通部と前記少なくとも２つの凸部とを互いに係合させることにより、前記貼付剤が前記プレート部の押し付け面に仮止めされることを特徴とする、前記貼付剤の貼付用補助具である。
【００１３】
また、本発明の貼付剤の貼付用補助具は、貼付剤を仮止めして身体に押し付けるためのローラー部と、該ローラー部の押し付け面に設けられた仮止め手段と、前記ローラー部を回動自在に軸支する支持部と、該支持部に連結された把持部と、を備えた貼付剤の貼付用補助具において、前記貼付剤の周辺部に表裏に貫通した少なくとも２つの貫通部が設けられており、前記仮止め手段が前記ローラー部の押し付け面の周辺部に設けられた少なくとも２つの凸部からなり、前記少なくとも２つの貫通部と前記少なくとも２つの凸部とを互いに係合させることにより、前記貼付剤が前記ローラー部の押し付け面に仮止めされることを特徴とする、前記貼付剤の貼付用補助具である。
【００１４】
さらに、本発明の貼付剤の貼付方法は、支持体と、該支持体の片面に積層された粘着剤層と、該粘着剤層の粘着面に剥離可能に被覆された剥離ライナーとを備えた貼付剤を、身体の所望の部位に貼付する方法において、前記貼付剤の周辺部に表裏に貫通した少なくとも２つの貫通部を設ける段階と、前記貼付用補助具が備えるプレート部又はローラー部の押し付け面に設けられた少なくとも２つの凸部と前記少なくとも２つの貫通部とを係合させ、前記押し付け面に前記貼付剤を支持体側が対向するように仮止めする段階と、前記仮止めした貼付剤の剥離ライナーを剥がし粘着面を露出させて身体の所望の部位に押し当てる段階と、を含むことを特徴とする前記貼付剤の貼付方法である。
【００１５】
本発明の貼付剤の貼付用補助具では、貼付剤の周辺部に設けられた表裏に貫通した少なくとも２つの貫通部と、プレート部又はローラー部の押し付け面の周辺部に設けられた少なくとも２つの凸部からなる仮止め手段とを互いに係合させることにより、貼付剤がプレート部又はローラー部の押し付け面に物理的に仮止めされる。
【００１６】
粘着シートや面ファスナーなどを用いることがないため、困難であった貼付剤を補助具へ仮止めする保持力と、貼付剤を患部へ貼り付ける粘着力とのバランス取りが不要である。また、貼付剤を補助具に仮止めする作業状況や、粘着シートなど仮止め手段の経時変化により仮止めの保持力が大きく変化することがない。そのため、常に安定した操作感を得ることができ確実に機能を発揮することができる。
【００１７】
また、貼付剤を補助具のプレート部やローラー部へ仮止めする方法は、予め貼付剤の周辺部に設けられた表裏に貫通した少なくとも２つの貫通部と、プレート部又はローラー部の押し付け面の周辺部に設けられた少なくとも２つの凸部からなる仮止め手段とを、位置合わせして係合させるだけでよく、その操作は極めて簡単で直感的にも分かりやすい。
【００１８】
さらに、貼付剤を身体の所望の部位に貼付する方法は、プレート部又はローラー部の押し付け面に貼付剤を支持体側が対向するように仮止めし、貼付剤の粘着面の剥離ライナーを剥がして身体の所望の部位に押し当てるか又は押し当てて転がすだけでよく、その操作は極めて簡単で直感的にも分かりやすい。
【発明の効果】
【００１９】
本発明の貼付剤の貼付用補助具は、構造がシンプルなため製作コストが低く、安定した操作感を得ることができ実用性が高い。
また、本発明の貼付剤の貼付用補助具とそれを用いた貼付方法は、貼付剤を補助具へ仮止めする操作や貼付剤を患部へ貼り付ける操作が簡単で分かりやすく、貼付剤を正確に綺麗に患部へ貼り付けることができる。
【図面の簡単な説明】
【００２０】
【図１】第１実施形態のプレート式貼付用補助具１を示す正面図及び側面図である。
【図２】第２実施形態のプレート式貼付用補助具２を示す正面図及び断面図である。
【図３】第３実施形態のプレート式貼付用補助具３を示す正面図及び断面図である。
【図４】第４実施形態のプレート式貼付用補助具４を示す正面図、及び患部に貼付剤を貼り付けた状態を示す側面図である。
【図５】第５実施形態のプレート式貼付用補助具５を示す正面図、背面図及び断面図である。
【図６】第２実施形態のプレート式貼付用補助具２に貼付剤をセットした状態を示す斜視図である。
【図７】第１実施形態のプレート式貼付用補助具１に貼付剤をセットした状態で凸部及び貫通部の位置関係を示す正面図である。
【図８】第２実施形態のプレート式貼付用補助具２を用いて腰部に貼付剤を貼り付ける方法を示す説明図である。
【図９】第６実施形態のローラー式貼付用補助具１を示す正面図及び側面図である。
【図１０】第７実施形態のローラー式貼付用補助具２を示す正面図及び断面図である。
【図１１】第７実施形態のローラー式貼付用補助具２に貼付剤をセットした状態を示す斜視図である。
【図１２】第７実施形態のローラー式貼付用補助具２を用いて患部に貼付剤を貼り付ける方法を示す説明図１である。
【図１３】第７実施形態のローラー式貼付用補助具２を用いて患部に貼付剤を貼り付ける方法を示す説明図２である。
【発明を実施するための形態】
【００２１】
本発明の貼付剤の貼付用補助具及びそれを用いた貼付方法の実施形態について、以下図面を参照して詳細に説明する。なお、本発明はこれらの実施形態によって限定されるものではなく、本発明の技術的思想を逸脱しない範囲で種々の変更が可能である。
【００２２】
また、説明が省略されている構造、材料、製法等については、当該技術分野の当業者に知られているものと同一又は実質的に同一のものとすることができる。さらに、各図において同一符号は同一又は同等の構成要素を表しており、重複する説明は省略する。
【００２３】
また、本発明において「略」とは、厳密に同一である場合に限られず、同一性を失わない程度の誤差や変形を含む概念である。例えば、略円形とは厳密に円形の場合に限られず、円形と同一視できる場合を含むものとする。
【００２４】
＜プレート式貼付用補助具＞
［第１実施形態］
図１（ａ）及び（ｂ）は、本発明の第１実施形態であるプレート式貼付用補助具１を、貼付剤がセットされる押し付け面側から見た正面図及び長手方向の側面図である。図１各図に示すようにプレート式貼付用補助具１は、貼付剤をセットして身体に押し付けるためのプレート部１１と、その押し付け面１１ａに設けられた４つの凸部からなる仮止め手段１２と、その把持面１１ｂに接合された把持部１３とを備えている。
【００２５】
プレート部１１の形状は、貼付剤全体を均一に押し付けられる形状であれば特に限定されない。長方形、正方形、楕円形等が例示される。貼付剤の形状と同じ長方形が好ましい。プレート部１１の外寸は、一般的に用いられている貼付剤のサイズ（７ｃｍ×１０ｃｍ、１０ｃｍ×１４ｃｍ、１４ｃｍ×２０ｃｍなど）を基準に設定される。貼付剤のサイズよりもやや大きめが好ましい。
【００２６】
プレート部１１の材料は、一定の強度と剛性を有し軽量で加工がしやすく製作コストが低い材料であれば特に限定されない。合成樹脂、軽金属、木材、厚紙等が例示される。加工性、耐久性、製作コストなどの観点から合成樹脂が好ましい。また、押し付け面１１ａ側の材料と把持面１１ｂ側の材料を変えて二層構造としてもよい。押し付け面側の材料は適度な柔軟性と弾性を有する材料が好ましく、把持面側の材料は適度な強度と剛性を有する材料が好ましい。
【００２７】
プレート部１１の貼付剤を仮止めする押し付け面１１ａには、４つの略円錐形状の凸部からなる仮止め手段１２が設けられている。凸部の形状は、貼付剤を仮止めする適度な保持力と良好な着脱性が得られる形状であれば特に限定されない。略円柱形状、略円錐形状、略半球形状、略角柱形状、略角錐形状等が例示される。好適な保持力と円滑な着脱性の観点から、略円柱形状及び略円錐形状が好ましい。なお、保持力を適度に高めるために、凸部の外周面に小さな突起や溝を設けてもよい。
【００２８】
凸部の外径と高さは、適度な保持力と良好な着脱性が得られる範囲であれば特に限定されない。具体的には数ｍｍ〜十数ｍｍの範囲で設定される。最大外径は好ましくは２〜１０ｍｍ、より好ましくは４〜８ｍｍの範囲である。高さは好ましくは３〜１２ｍｍ、より好ましくは５〜１０ｍｍの範囲である。凸部はプレート部と同一の材料で一体成形してもよく、凸部とプレート部とを同一又は異なる材料で別々に成形して、両部材を接着、圧入、螺合等の方法で接合してもよい。
【００２９】
凸部の数は少なくとも２つである。短辺中央近傍に２つ、四隅近傍に４つ、四隅と長辺中央近傍に計６つなどが例示される。貼付剤を仮止めする作業性、仮止めの保持力、円滑な着脱性等の観点から四隅近傍に４つが好ましい。なお、全ての凸部を同一の形状にするのではなく、一部の凸部を異なる形状にしてもよい。
【００３０】
凸部が設けられる位置はプレート部の押し付け面の周辺部であり、周辺部とは平面視で短手及び長手方向の中心線よりも縁辺寄りの領域である。後述する貼付剤に設けられる貫通部に対応する位置となり、貼付剤をプレート部の押し付け面にセットした状態で、貼付剤の隣接するいずれか一方の縁辺から凸部の中心軸までの距離によって好ましい範囲が規定される。なお、全ての凸部を前後左右に対称な位置に設けるのではなく、一部の凸部を非対称な位置に設けてもよい。
【００３１】
プレート部１１の把持面１１ｂの中央部には、直方体形状の把持部１３が接合されている。把持部の形状は持ち易くシンプルな形状であれば特に限定されない。プレート部の把持面中央部に突設した手の平側で把持する略円柱形状や略角柱形状、プレート部の縁部間に架設した手の甲側で支持する略コの字型や略ロの字型等が例示される。なお、把持部を設けずにプレート部１１の両側面を直接手指で掴んでもよい。
【００３２】
把持部はプレート部と同一の材料で一体成形してもよく、把持部とプレート部とを同一又は異なる材料で別々に成形して、両部材を接着、圧入、螺設等の方法で接合してもよい。また、ゴム、軟質合成樹脂、織布等で形成された柔軟で伸縮性のある帯状の把持部をプレート部の縁部間に架設してもよい。さらに、長尺の把持部をプレート部に連結してより手の届きにくい患部に貼りやすい構造としてもよい。
【００３３】
［第２実施形態］
図２（ａ）及び（ｂ）は、本発明の第２実施形態であるプレート式貼付用補助具２を、貼付剤がセットされる押し付け面側から見た正面図、及び正面図中のＡ−Ａ線における長手方向の断面図である。図２各図に示すようにプレート式貼付用補助具２では、プレート部２１が二層構造であり、押し付け面２１ａが身体に押し付ける力に対応して変形可能な厚みのある弾性素材から形成されている。
【００３４】
また、プレート部２１の押し付け面２１ａに設けられた４つの略円柱形状の凸部２２が、押し付け面に直交する方向に摺動可能に取り付けられており、金属製バネ２３により外側に向かって付勢されている。押し付け面２１ａが身体に押し付けられると、その力で４つの凸部２２がプレート部２１の内側に向かって摺動して収納される。なお、プレート式貼付用補助具２のその他の構成要素の構造等は、プレート式貼付用補助具１と同等である。
【００３５】
押し付け面を弾性素材で形成することにより、貼付剤を患部に貼り付ける際にソフトな使用感となり、押し付け面の身体形状に対する追随性が向上する。弾性素材としてはゴム、軟質合成樹脂等の平板材、発泡材（スポンジ）などが例示される。弾性素材の厚みや弾性率は、適度な弾性と反発性を維持しつつ、押し付ける力と身体の形状に対応して変形可能な好適な範囲に設定される。なお、凸部を同等の弾性素材で形成してもよい。
【００３６】
また、仮止め手段を構成する凸部が、身体に押し付ける力に対応して押し付け面からプレート部の内側に収納される構造とすることにより、貼付剤を身体に貼り付ける際に、貼付剤に設けた貫通部の内面が凸部の外面に引っ掛かることが少なくなり、仮止めした貼付剤の補助具からの離脱がよりスムーズになり操作感が向上する。なお、全ての凸部ではなく、一部の凸部を摺動可能な構造としてもよい。
【００３７】
凸部を外側に付勢する弾性部材としては、金属又は合成樹脂製のバネ、ゴム又は軟質合成樹脂製の部材が例示される。弾性部材のバネ定数や弾性率は、身体に押し付ける力に対応して凸部が、押し付け面からプレート部の内側にスムーズに収納されるように好適な範囲に設定される。なお、凸部の基部に後述するようなロック機構を設けてもよい。これにより、貼付剤の離脱性や補助具の操作感がさらに向上する。
【００３８】
［第３実施形態］
図３（ａ）及び（ｂ）は、本発明の第３実施形態であるプレート式貼付用補助具３を貼付剤がセットされる押し付け面側から見た正面図、及び正面図中のＢ−Ｂ線における長手方向の断面図である。図３各図に示すようにプレート式貼付用補助具３では、プレート部３１が二層構造であり、押し付け面３１ａが適度な弾性を有する厚めの平板材から形成され、把持面３１ｂが適度な剛性を有する薄めのシート材から形成されている。そして、プレート部の押し付け面３１ａには、短手方向に延在して複数の凹溝３２が設けられている。
【００３９】
押し付け面に複数の凹溝を設けることにより、プレート部全体の可撓性が高まり身体形状に対する追随性が向上する。凹溝はプレート部の押し付け面の少なくとも一方向（短手又は長手方向）に延在して設けられ、互いに直交する二方向（短手及び長手方向）に延在して設けてもよい。凹溝の断面形状、深さ、開口幅、溝間隔は、加工が容易で製作コストが低く所定の可撓性が得られる形状であれば特に限定されない。
【００４０】
凹溝の断面形状としては、略コの字型、略Ｖ字型、略Ｕ字型、略Ｗ字型、略半円型等が例示される。凹溝の深さ、溝の開口幅、隣接する溝との間隔はプレート部の厚みや大きさによって異なるが、深さは好ましくは５〜３０ｍｍ、より好ましくは１０〜２５ｍｍの範囲である。開口幅は好ましくは２〜１０ｍｍ、より好ましくは３〜８ｍｍの範囲である。溝間隔は好ましくは５〜２０ｍｍ、より好ましくは８〜１５ｍｍの範囲である。
【００４１】
プレート部の押し付け面側の材料は、適度な柔軟性と弾性を有する材料が好ましく、ゴムや軟質合成樹脂の平板材、発泡材（スポンジ）などが例示される。また、把持面側の材料は、適度な剛性と弾性を有する材料が好ましく、合成樹脂のシート材等が例示される。押し付け面側の材料は凹溝が刻める程度の厚みが必要であり、把持面側の材料は一定の剛性と弾性を兼ね備えるためにやや薄めに形成される。両層の材料や厚みは、プレート部全体として適度な剛性と弾性を維持しつつ、良好な可撓性を備える好適な範囲に設定される。
【００４２】
また、プレート部３１の周辺部には押し付け面３１ａに直交する方向に４箇所の貫通孔が設けられており、そこへ４つの略円柱形状の凸部３３が摺動可能に貫装されている。短手方向に相対する２つの凸部３３は、プレート部の把持面３１ｂ側で平板状の連結板３４により連結されている。押し付け面３１ａが身体に押し付けられると、２組４つの凸部３３がプレート部３１の内側に向かって摺動して、その基部が反対側の把持面３１ｂ側に突出する。
【００４３】
貼付後に再度貼付剤をセットする際は、２組４つの凸部３３を手で押し下げ、その先端部を反対側の押し付け面３１ａ側に突出させればよい。なお、プレート式貼付用補助具３には把持部が無く、プレート部３１の側面を手指で直接掴んで使用する。その他の構成要素の構造等は、プレート式貼付用補助具２と同等である。
【００４４】
［第４実施形態］
図４（ａ）は、本発明の第４実施形態であるプレート式貼付用補助具４を、貼付剤がセットされる押し付け面側から見た正面図である。図４（ａ）に示すようにプレート式貼付用補助具４では、プレート部４１の押し付け面４１ａの短手及び長手方向に延在して複数の凹溝４２が設けられている。プレート部の長手及び短手方向の２方向の可撓性を高めることにより、押し付け面の身体形状に対する追随性がさらに向上する。なお、プレート式貼付用補助具４のその他の構成要素の構造等は、プレート式貼付用補助具３と同等である。
【００４５】
ここで、図４（ｂ）は、プレート式貼付用補助具４の押し付け面４１ａに貼付剤Ｐをセットし、身体に押し付けて変形させた状態を示す長手方向の側面図である。プレート部４１を曲面の患部に押し付けると、プレート部４１全体が適度な弾性と可撓性を有しているため凹溝４２の開口幅が変わり、プレート部４１が患部の曲面形状に沿って容易に変形することができる。これにより、プレート部の押し付け面の身体形状に対する追随性が向上する。
【００４６】
［第５実施形態］
図５（ａ）〜（ｃ）は各々、本発明の第５実施形態であるプレート式貼付用補助具５を貼付剤がセットされる押し付け面側から見た正面図、把持面側から見た背面図、及び正面図中のＣ−Ｃ線における長手方向の断面図である。図５各図に示すようにプレート式貼付用補助具５は、プレート部の外周側面を囲むように略ロ字型の外枠体５１を備えている。
【００４７】
また、プレート部５２の周辺部には押し付け面５２ａに直交する方向に４箇所の貫通孔が設けられており、そこへ４つの略円柱形状の凸部５３が摺動可能に貫装されている。４つの凸部５３は、プレート部の把持面５２ｂ側で外枠体５１の短手方向に架設された２枚の支持板５４に結合している。すなわち、外枠体５１とそれに結合した４つの凸部５３に対して、プレート部５２が摺動可能に構成されている。
【００４８】
プレート部の把持面５２ｂにはストッパー板５５が接合されており、その４隅には突片部が形成されている。この４つの突片部が外枠体５１の短辺側に設けられた４つの側孔に挿通されている。さらに、プレート部の把持面５２ｂ中央には直方体形状の押し部５６が接合されている。手指で外枠体５１を掴み手の平で押し部５６を押し込むことにより、プレート部５２が患部方向に摺動して押し当てられる。この時、ストッパー板５５の突片部が外枠体５１の側孔の内面に当接することにより、プレート部５２の摺動ストロークが制限され脱落しないように構成されている。
【００４９】
また、プレート部５２及びストッパー板５５に適度な弾性を持たせることにより、ストッパー板５５が外枠体５１に当接した後に板バネのように機能して、プレート部５２を押し下げるストローク量を微調整することができる。これにより、貼付剤の離脱性や補助具の操作感を向上させることができる。なお、プレート式貼付用補助具５のその他の構成要素の構造等は、プレート式貼付用補助具３と同等である。
【００５０】
［貼付剤の仮止め及び貼付方法］
次に、プレート式貼付用補助具２に貼付剤Ｐをセットする方法について説明する。図６に示すように貼付剤Ｐの周辺部には、４つの円形の穴Ｐ１が予め設けられている。この４つの穴Ｐ１は、プレート部２１の押し付け面２１ａに設けられた４つの凸部２２と対応する形状と位置で穿孔されている。そして、両者を位置合わせして貼付剤の支持体Ｐ３側を押し付け面２１ａに軽く押し当て、４つの穴Ｐ１と凸部２２とを係合させることで、貼付剤Ｐを押し付け面２１ａ上に物理的に仮止めすることができる。
【００５１】
貼付剤の周辺部に設けられる表裏に貫通した少なくとも２つの貫通部の形状は、プレート部の押し付け面に設けられた凸部からなる仮止め手段と係合でき、適度な保持力と良好な着脱性が得られ、貼付剤に容易に形成できる形状であれば特に限定されない。略円形、楕円形、菱形、多角形の穴、略コの字型、略Ｕ字型、略Ｖ字型の切り欠き、略一字型や略十字型の切り込み、縁辺に対して直角又は斜めに交差する直線の切り込みなどが例示される。好適な保持力と円滑な着脱性の観点からは略円形の穴が好ましい。簡便に形成できる観点からは略Ｖ字型の切り欠き、略一字型の切り込み、縁辺に対して直角に交差する直線の切り込みが好ましい。
【００５２】
貫通部の数は少なくとも２つである。短辺中央近傍に２つ、四隅近傍に４つ、四隅と長辺中央近傍に計６つなどが例示される。貼付剤を仮止めする作業性、好適な保持力、円滑な着脱性等の観点から四隅近傍に４つが好ましい。貫通部が設けられる位置は貼付剤の周辺部であり、周辺部とは平面視で短手及び長手方向の中心線よりも縁辺寄りの領域である。前述のプレート部の押し付け面に設けられる凸部に対応する位置となる。なお、全ての貫通部を前後左右に対称な位置に設けるのではなく、一部の貫通部を非対称な位置に設けてもよい。
【００５３】
ここで、図７（ａ）〜（ｆ）はプレート式貼付用補助具１に貼付剤Ｐをセットした状態で、貫通部Ｐ１及び凸部１２の位置関係を示す平面図である。図７各図に示すように貫通部Ｐ１が貼付剤Ｐに設けられる位置、及び凸部１２がプレート部の押し付け面１１ａに設けられる位置は、貼付剤Ｐをセットした状態で貼付剤Ｐの隣接する縁辺が基準線となる。用いる貼付剤のサイズに応じて、皺を作らず綺麗に貼れる機能性、凸部の外径・外寸及び貫通部の内径・内寸、貫通部を容易に形成できる作業性等を考慮して最適な位置に設定される。
【００５４】
具体的には、図７（ａ）に示すように凸部１２が略円錐形状で、貫通部Ｐ１が略円形の穴の場合、貼付剤Ｐの隣接する２つの縁辺から、凸部１２の中心軸及び貫通部Ｐ１の中心までの距離ｄ１及びｄ２のいずれか一方が、貼付剤のサイズが７ｃｍ×１０ｃｍでは、好ましくは２０ｍｍ以内、より好ましくは１０ｍｍ以内となる位置である。また、貼付剤のサイズが１０ｃｍ×１４ｃｍでは、好ましくは２５ｍｍ以内、より好ましくは１５ｍｍ以内となる位置である。さらに、貼付剤のサイズが１４ｃｍ×２０ｃｍでは、好ましくは３０ｍｍ以内、より好ましくは２０ｍｍ以内となる位置である。
【００５５】
その他の形態として、図７（ｂ）に示すように凸部１２が略円柱形状で、貫通部Ｐ１が略コの字型の切り欠きの場合、凸部１２の位置は上記と同様である。貫通部Ｐ１の位置と形状は、略コの字型の角部の内側が凸部１２の外側に密接するように形成される。
【００５６】
また、図７（ｃ）に示すように凸部１２が略三角柱形状で、貫通部Ｐ１が略Ｖ字型の切り欠きの場合、凸部１２の位置は上記と同様である。貫通部Ｐ１の位置と形状は、略Ｖ字型の角部の内側が凸部１２の外側に密接するように形成される。
【００５７】
さらに、図７（ｄ）に示すように凸部１２が略円柱形状で、貫通部Ｐ１が略十字型の切り込みの場合、凸部１２の中心軸及び貫通部Ｐ１の中心の位置は上記と同様である。
【００５８】
また、図７（ｅ）に示すように凸部１２が平板形状で、貫通部Ｐ１が略一字型の切り込みの場合、凸部１２の中心軸及び貫通部Ｐ１の中心の位置は上記と同様である。
【００５９】
さらに、図７（ｆ）に示すように凸部１２が細めのピン形状で、貫通部Ｐ１が縁辺と直角に公差する直線の切り込みの場合、凸部１２の位置は上記と同様である。貫通部Ｐ１の位置と形状は、直線の切り込みの端部が凸部１２の外側に密接するように形成される。
【００６０】
貼付剤に設ける少なくとも２つの貫通部の間隔、具体的には穴の中心の間隔、切り欠きの角部や切り込みの端部の間隔は、対応する少なくとも２つの凸部の中心軸の間隔と同一又は１〜４ｍｍ程度狭めが好ましい。また、貫通部の穴の内径や切り欠きの角部の内寸は、対応する凸部の外径や外寸と同一又は僅かに小さめが好ましい。
【００６１】
貼付剤の支持体が柔軟で伸縮性があることを利用して、貫通部の間隔を少し短め、内径や内寸を僅かに小さめにすることにより、貼付剤の仮止めの保持力を適度に高めることができる。なお、貫通部の穿孔又は形成位置や内径又は内寸に多少の誤差が生じても、支持体が柔軟で伸縮性があり吸収されるためほとんど問題とはならない。
【００６２】
貼付剤の周辺部に穴、切り欠き、切り込みを形成する方法は、簡便で安全な方法であれば特に限定されない。１穴パンチ、２穴パンチ、多穴パンチ、鋏、カッター、剃刀、ポンチ、錐等が例示される。円形の穴の場合は操作が簡単でＪＩＳにより穴径と穴位置が規定されている２穴パンチ（事務用あなあけ器）が好ましい。また、切り欠きや切り込みの場合は鋏やカッターが好ましい。凸部の位置や形状を示すスケールを用意して、これに合わせて穴、切り欠き、切り込みを形成してもよく、専用の穿孔機や切断機を用意して形成してもよい。
【００６３】
次に、プレート式貼付用補助具２にセットした貼付剤Ｐを、手の届きにくい患部に貼り付ける方法について説明する。図６に示すように貼付剤Ｐを押し付け面２１ａに仮止めした後、２本の波形の切り込みで３つに分かれている剥離ライナーＰ２を、真ん中から順番に剥がして粘着面Ｐ４を露出させる。そして、図８に示すようにプレート式貼付用補助具２を片手で把持して、腰部の痛い箇所に軽く押し当て離すだけで、皺を作らず綺麗に貼付剤Ｐを貼り付けることができる。
【００６４】
＜ローラー式貼付用補助具＞
［第６実施形態］
図９（ａ）及び（ｂ）は、本発明の第６実施形態であるローラー式貼付用補助具１を、貼付剤がセットされる押し付け面側から見た正面図及び長手方向の側面図である。図９各図に示すようにローラー式貼付用補助具１は、貼付剤をセットして身体に押し付けるためのカマボコ型のローラー部６１と、その押し付け面６１ａに設けられた４つの凸部からなる仮止め手段６２と、ローラー部６１を回動自在に軸支する支持部６３と、その後端部に連結された把持部６４とを備えている。
【００６５】
ローラー部６１の形状は、身体形状に対する追随性と滑らかな回動性が得られる形状であれば特に限定されない。回動軸と直交する短手方向の断面形状で、略円形、楕円形、五角形以上の多角形、これらを半分割した形状、カマボコ型等が例示される。良好な追随性と回動性の観点から、略円形、略半円形、カマボコ型が好ましい。中でもカマボコ型は、貼り始めと貼り終わりの位置が感覚として手に伝わるため操作感に優れている。
【００６６】
また、ローラー部６１の支持部６３の支軸が貫挿されている側面には、回動角度を制限するためのストッパー６５ａ及び６５ｂが突設されており、これが支持部６３に当接することにより、ローラー部６１の回動角度が約１８０°に制限されている。
【００６７】
回動角度を大きくするとローラー部の外径を小さくでき全体をコンパクトにできるが、ローラー部の外径を小さくすると押し付け面の曲率が大きくなり、仮止めした貼付剤が凸部から外れやすくなり、また貼付剤の剥離ライナーが剥がれやすくなる。仮止めの作業性や保持力、貼付剤のスムーズな着脱性の観点から、回動角度は９０〜２７０°の範囲が好ましく、１３５〜２２５°の範囲がより好ましい。中でも貼り始めと貼り終わりの位置が感覚的に分かりやすい１８０°が最も好ましい。
【００６８】
なお、ローラー部６１の外径は、セットする貼付剤のサイズと設定される回動角度から規定される。例えば、貼付剤のサイズが７０ｍｍ×１００ｍｍで回動角度を１８０°に設定し余白を前後に５ｍｍずつとると、略円形又は略半円形のローラー部の半径は約３５ｍｍとなる。同様に、貼付剤のサイズが１００ｍｍ×１４０ｍｍではローラー部の半径は約４８ｍｍとなる。
【００６９】
ローラー部６１の材料に関しては、前述のプレート式貼付用補助具１のプレート部１１と同等である。なお、押し付け面側の材料と回動軸側の材料を変えて二層構造としてもよい。押し付け面側の材料は適度な柔軟性と弾性を有する材料が好ましく、回動軸側の材料は適度な強度と剛性を有する材料が好ましい。
【００７０】
ローラー部の貼付剤を仮止めする押し付け面６１ａには、４つの略円錐形状の凸部からなる仮止め手段６２が設けられている。凸部が設けられる位置はローラー部の押し付け面の周辺部であり、貼付剤に設けられる貫通部に対応する位置となる。凸部の形状、数、位置、構造に関しては、前述のプレート式貼付用補助具１の凸部１２と同等である。
【００７１】
位置に関しては、ローラー部の押し付け面（外周面）を平面に展開した形態を想定し、前述のプレート式貼付用補助具と同様に設定される。貼付剤をローラー部の押し付け面にセットした状態で、貼付剤の隣接するいずれか一方の縁辺から凸部の中心軸までの距離によって好ましい範囲が規定される。
【００７２】
また、ローラー部６１は支持部６３により片側から回動自在に軸支されている。ローラー部６１の短手方向の中心からやや偏心した位置に長手方向に貫通する軸孔が設けられており、そこへ略コの字型に屈折された金属製の支持部６３の支軸側が貫挿され、その端部がワッシャとナットで止められローラー部６１が回動自在に軸支されている。
【００７３】
支持部の形状や軸支する構造は、滑らかな回動性が得られ所定の強度と耐久性を有する構造であれば特に限定されない。両側から軸支する構造でもよく、回動を滑らかにするため軸孔に滑り軸受けや転がり軸受けを嵌入してもよい。支持部の材料は、一定の強度と剛性を有し加工がしやすく製作コストが低い材料であれば特に限定されない。合成樹脂、金属等が例示される。
【００７４】
また、支持部６３の支軸とは反対側の後端部には、グリップ形状の把持部６４が連結されている。把持部の形状は握りやすく操作しやすい形状であれば特に限定されない。また、長尺の把持部を連結してより手の届きにくい箇所に貼りやすい構造としてもよい。把持部の材料は、軽量で加工がしやすく製作コストが低い材料であれば特に限定されない。合成樹脂、木材、軽金属等が例示される。
【００７５】
［第７実施形態］
図１０（ａ）及び（ｂ）は、本発明の第７実施形態であるローラー式貼付用補助具２を、貼付剤がセットされる押し付け面側から見た正面図、及び正面図中のＤ−Ｄ線における断面図である。図１０各図に示すようにローラー式貼付用補助具２では、ローラー部７１が二層構造であり、押し付け面７１ａが身体に押し付ける力に対応して変形可能な弾性素材から形成されている。
【００７６】
また、ローラー部７１の押し付け面７１ａに設けられた４つの凸部７２が、押し付け面に直交する方向に摺動可能に取り付けられており、金属製バネ７３により外側に向かって付勢されている。押し付け面７１ａが身体に押し付けられると、その力で４つの凸部７２がローラー部７１の内側に向かって摺動して収納される。さらに、凸部７２の基部にはロック機構７４が組み込まれており、凸部７２の先端部が押し付け面７１ａと略同一面まで押し込まれると、その位置で凸部７２がロックされる
【００７７】
ロック機構としては、例えば、ノック式ボールペンなどに汎用されているノックカム構造を採用することができる。ローラー式貼付用補助具２では、凸部７２を収納するためにローラー部７１の内部に４つの外筒部７４ａが設けられており、その内周面にカム本体となるカム溝が刻まれている。また、凸部７２の基部に回転子７４ｂが同軸に装着されており、その外周面にカム溝と係合する係合片が設けられている。
【００７８】
凸部の先端部が押し付け面と略同一面まで押し込まれるとロックされるロック機構を設けることにより、貼付剤を身体に貼り付ける際に、貼付剤に設けた貫通部の内面が凸部の外面に引っ掛かることがより少なくなり、貼付剤の補助具からの離脱がよりスムーズになり操作感がさらに向上する。
【００７９】
また、ローラー部７１は支持部７５により両側から回動自在に軸支されている。ローラー部７１の両側面にはストッパー７６ａが突設され、支持部７５の両側板には略Ｌ字型のストッパー７６ｂが固設されている。ストッパー７６ａが支持部７５の両側板と、ストッパー７６ｂがローラー部７１の支軸側の底面と当接することにより、ローラー部７１の回動角度が約１８０°に制限されている。
【００８０】
なお、ローラー式貼付用補助具２の押し付け面や凸部の材料、構造、機能等に関しては、前述のプレート式貼付用補助具２と同様である。また、ローラー式貼付用補助具２のその他の構成要素の材料、構造、機能等に関しては、前述のローラー式貼付用補助具１と同等である。
【００８１】
［貼付剤の仮止め及び貼付方法］
次に、ローラー式貼付用補助具２に貼付剤Ｐをセットする方法について説明する。図１１に示すように貼付剤Ｐの周辺部には、４つの円形の穴Ｐ１が予め設けられている。この４つの穴Ｐ１は、ローラー部７１の押し付け面７１ａに設けられた４つの凸部７２と対応する形状と位置で穿孔されている。そして、貼付剤Ｐを軽く曲げて両者を位置合わせし、貼付剤の支持体Ｐ３側を押し付け面７１ａに押し当て４つの穴Ｐ１と凸部７２とを係合させることで、貼付剤Ｐを押し付け面７１ａ上に物理的に仮止めすることができる。
【００８２】
なお、貼付剤の周辺部に設けられる貫通部の形状、位置、形成方法等に関しては、前述のプレート式貼付用補助具の場合と同様である。位置に関しては、ローラー部の押し付け面（外周面）を平面に展開した形態を想定し、貼付剤をローラー部の押し付け面にセットした状態で、貼付剤の隣接するいずれか一方の縁辺から貫通部の中心等までの距離によって好ましい範囲が規定される。
【００８３】
また、ローラー式貼付用補助具２にセットした貼付剤Ｐを患部に貼り付ける方法について説明する。図１１に示すように貼付剤Ｐを押し付け面７１ａに仮止めした後、２本の波形の切り込みで３つに分かれている剥離ライナーＰ２を、真ん中から順番に剥がして粘着面Ｐ４を露出させる。続いて、図１２各図に示すようにローラー式貼付用補助具２を片手で把持し、カマボコ型のローラー部の押し付け面７１ａ（曲面）が把持部側を向くように、ストッパー７６ａが支持部７５の側板に当接するまで回動させて初期位置にする。
【００８４】
そして、ローラー部７１の下部に突出する凸部７２がロックするまで患部に押し当て、そのまま押し付け面７１ａを患部に押し当てながら手前にゆっくりと引く。さらに、図１３各図に示すように反対側の凸部７２がロックして、ストッパー７６ｂがローラー部７１の底面に当接するまで、ローラー部７１を患部に押し当てながら転がして貼付剤Ｐを患部に貼り付ける。ローラー式は曲面形状への追随性に優れるため、曲率のやや大きい上肢や下肢の患部でも皺を作らず綺麗に貼付剤を貼り付けることができる。
【産業上の利用可能性】
【００８５】
本発明のプレート式及びローラー式の貼付用補助具は、テープ剤やパップ剤などの貼付剤を、背部や腰部など手の届きにくい患部及び上肢や下肢など曲面の患部に、正確に綺麗に貼ることができる。したがって、医薬品、医療、介護、スポーツなどの分野において特に有用である。
【符号の説明】
【００８６】
１…プレート式貼付用補助具１、１１…プレート部、１１ａ…プレート部の押し付け面、１１ｂ…プレート部の把持面、１２…仮止め手段（凸部）、１３…把持部。
２…プレート式貼付用補助具２、２１…プレート部、２１ａ…プレート部の押し付け面、２１ｂ…プレート部の把持面、２２…仮止め手段（凸部）、２３…付勢部材（バネ）。
３…プレート式貼付用補助具３、３１…プレート部、３１ａ…プレート部の押し付け面、３１ｂ…プレート部の把持面、３２…凹溝、３３…仮止め手段（凸部）、３４…連結板。
４…プレート式貼付用補助具４、４１…プレート部、４１ａ…プレート部の押し付け面、４２…凹溝。
５…プレート式貼付用補助具５、５１…外枠体、５２…プレート部、５２ａ…プレート部の押し付け面、５２ｂ…プレート部の把持面、５３…仮止め手段（凸部）、５４…支持板、５５…ストッパー板、５６…押し部。
【００８７】
６…ローラー式貼付用補助具１、６１…ローラー部、６１ａ…ローラー部の押し付け面、６２…仮止め手段（凸部）、６３…支持部、６４…把持部、６５ａ，６５ｂ…ストッパー。
７…ローラー式貼付用補助具２、７１…ローラー部、７１ａ…ローラー部の押し付け面、７２…仮止め手段（凸部）、７３…付勢部材（バネ）、７４…ロック機構（ノックカム）、７４ａ…外筒部、７４ｂ…回転子、７５…支持部、７６ａ，７６ｂ…ストッパー。
Ｐ…貼付剤、Ｐ１…貼付剤に設けられた貫通部（穴）、Ｐ２…剥離ライナー、Ｐ３…支持体、Ｐ４…粘着面。
【図１】
2020039659.tif 000003
【図２】
2020039659.tif 000004
【図３】
2020039659.tif 000005
【図４】
2020039659.tif 000006
【図５】
2020039659.tif 000007
【図６】
2020039659.tif 000008
【図７】
2020039659.tif 000009
【図８】
2020039659.tif 000010
【図９】
2020039659.tif 000011
【図１０】
2020039659.tif 000012
【図１１】
2020039659.tif 000013
【図１２】
2020039659.tif 000014
【図１３】
2020039659.tif 000015
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
貼付剤を仮止めして身体に押し付けるためのプレート部と、該プレート部の押し付け面に設けられた仮止め手段と、を備えた貼付剤の貼付用補助具において、
前記貼付剤の周辺部に表裏に貫通した少なくとも２つの貫通部が設けられており、前記仮止め手段が前記押し付け面に設けられた少なくとも２つの凸部からなり、該少なくとも２つの凸部が前記貼付剤を前記押し付け面に仮止めした状態で隣接する前記貼付剤の縁辺が外縁となる領域の周辺部に位置し、前記少なくとも２つの貫通部と前記少なくとも２つの凸部とが対応する位置に設けられ前記両部を互いに係合させることにより、前記貼付剤が前記押し付け面に仮止めされることを特徴とする、前記貼付剤の貼付用補助具。
【請求項２】
前記押し付け面の少なくとも一方向に延在して複数の凹溝が設けられており、押し付ける力に対応して前記押し付け面が身体の形状に沿って変形できることを特徴とする、請求項１に記載の貼付剤の貼付用補助具。
【請求項３】
さらに、前記プレート部の外周側面及び／又は把持面に隣接して配置された外枠体を備え、前記プレート部に前記押し付け面に直交する少なくとも２つの貫通孔が設けられ、前記少なくとも２つの凸部が前記少なくとも２つの貫通孔に貫装され、前記少なくとも２つの凸部の基部が前記プレート部の把持面側で前記外枠体に連結され、前記プレート部が前記少なくとも２つの凸部及び前記外枠体に対して摺動可能に構成されていることを特徴とする、請求項１又は２に記載の貼付剤の貼付用補助具。
【請求項４】
貼付剤を仮止めして身体に押し付けるためのローラー部と、該ローラー部の押し付け面に設けられた仮止め手段と、前記ローラー部を回動自在に軸支する支持部と、該支持部に連結された把持部と、を備えた貼付剤の貼付用補助具において、
前記貼付剤の周辺部に表裏に貫通した少なくとも２つの貫通部が設けられており、前記仮止め手段が前記押し付け面に設けられた少なくとも２つの凸部からなり、該少なくとも２つの凸部が前記貼付剤を前記押し付け面に仮止めした状態で隣接する前記貼付剤の縁辺が外縁となる領域の周辺部に位置し、前記少なくとも２つの貫通部と前記少なくとも２つの凸部とが対応する位置に設けられ前記両部を互いに係合させることにより、前記貼付剤が前記押し付け面に仮止めされることを特徴とする、前記貼付剤の貼付用補助具。
【請求項５】
前記貼付剤の大きさが７ｃｍ×１０ｃｍ、１０ｃｍ×１４ｃｍ又は１４ｃｍ×２０ｃｍであり、前記少なくとも２つの凸部が前記押し付け面と略直交する中心軸を有し、前記貼付剤を前記押し付け面に仮止めした状態で隣接する前記貼付剤のいずれかの縁辺から前記中心軸までの距離が、前記貼付剤の大きさが７ｃｍ×１０ｃｍでは２０ｍｍ以内、１０ｃｍ×１４ｃｍでは２５ｍｍ以内、１４ｃｍ×２０ｃｍでは３０ｍｍ以内であることを特徴とする、請求項１乃至４の何れかに記載の貼付剤の貼付用補助具。
【請求項６】
前記貫通部が略円形の穴であり、前記凸部が略円柱形状又は略円錐形状であることを特徴とする、請求項１乃至５の何れかに記載の貼付剤の貼付用補助具。
【請求項７】
前記押し付け面が弾性素材から形成されており、押し付ける力に対応して前記押し付け面が身体の形状に沿って変形できることを特徴とする、請求項１乃至６の何れかに記載の貼付剤の貼付用補助具。
【請求項８】
前記凸部が前記押し付け面に直交する方向に摺動可能に設けられており、押し付ける力に対応して前記凸部が前記押し付け面の内側に収納されることを特徴とする、請求項１乃至７の何れかに記載の貼付剤の貼付用補助具。
【請求項９】
前記凸部が前記押し付け面から外側に向かって弾性部材により付勢されていることを特徴とする、請求項８に記載の貼付剤の貼付用補助具。
【請求項１０】
前記凸部の基部にロック機構が設けられており、前記凸部の先端部が前記押し付け面と略同一面まで押し込まれるとロックされることを特徴とする、請求項９に記載の貼付剤の貼付用補助具。
【手続補正３】
【補正対象書類名】明細書
【補正対象項目名】００３０
【補正方法】変更
【補正の内容】
【００３０】
凸部が設けられる位置はプレート部の押し付け面であり、貼付剤を押し付け面にセットした状態で隣接する貼付剤の縁辺が外縁となる領域の周辺部となる。周辺部とは平面視で短手方向の中心線よりも短辺寄りの所定の領域、及び長手方向の中心線よりも長辺寄りの所定の領域である。後述する貼付剤に設けられる貫通部に対応する位置となり、貼付剤をプレート部の押し付け面にセットした状態で、貼付剤の隣接するいずれか一方の縁辺から凸部の中心軸までの距離によって好ましい範囲が規定される。なお、全ての凸部を前後左右に対称な位置に設けるのではなく、一部の凸部を非対称な位置に設けてもよい。
【手続補正４】
【補正対象書類名】明細書
【補正対象項目名】００５２
【補正方法】変更
【補正の内容】
【００５２】
貫通部の数は少なくとも２つである。短辺中央近傍に２つ、四隅近傍に４つ、四隅と長辺中央近傍に計６つなどが例示される。貼付剤を仮止めする作業性、好適な保持力、円滑な着脱性等の観点から四隅近傍に４つが好ましい。貫通部が設けられる位置は貼付剤の周辺部であり、周辺部とは平面視で短手方向の中心線よりも短辺寄りの所定の領域、及び長手方向の中心線よりも長辺寄りの所定の領域である。前述のプレート部の押し付け面に設けられる凸部に対応する位置となる。なお、全ての貫通部を前後左右に対称な位置に設けるのではなく、一部の貫通部を非対称な位置に設けてもよい。
【手続補正書】
【提出日】令和1年6月14日(2019.6.14)
【手続補正１】
【補正対象書類名】特許請求の範囲
【補正対象項目名】請求項１
【補正方法】変更
【補正の内容】
【請求項１】
略矩形の貼付剤を仮止めして身体に押し付けるためのプレート部と、該プレート部の押し付け面に設けられた仮止め手段と、を備えた貼付剤の貼付用補助具において、
前記貼付剤に表裏に貫通した少なくとも２つの貫通部が設けられており、前記仮止め手段が前記押し付け面に設けられた少なくとも２つの凸部からなり、前記少なくとも２つの貫通部と前記少なくとも２つの凸部とが対応する位置に設けられ、前記両部を互いに係合させることにより前記貼付剤が前記押し付け面に仮止めされ、該仮止めされた状態の平面視において、隣接する前記貼付剤のいずれかの縁辺から前記凸部の中心までの距離が、前記貼付剤のサイズ７ｃｍ×１０ｃｍを基準とする場合には２０ｍｍ以内、１０ｃｍ×１４ｃｍを基準とする場合には２５ｍｍ以内、１４ｃｍ×２０ｃｍを基準とする場合には３０ｍｍ以内となることを特徴とする、前記貼付剤の貼付用補助具。
【手続補正２】
【補正対象書類名】特許請求の範囲
【補正対象項目名】請求項４
【補正方法】変更
【補正の内容】
【請求項４】
略矩形の貼付剤を仮止めして身体に押し付けるためのローラー部と、該ローラー部の押し付け面に設けられた仮止め手段と、前記ローラー部を回動自在に軸支する支持部と、該支持部に連結された把持部と、を備えた貼付剤の貼付用補助具において、
前記貼付剤に表裏に貫通した少なくとも２つの貫通部が設けられており、前記仮止め手段が前記押し付け面に設けられた少なくとも２つの凸部からなり、前記少なくとも２つの貫通部と前記少なくとも２つの凸部とが対応する位置に設けられ、前記両部を互いに係合させることにより前記貼付剤が前記押し付け面に仮止めされ、該仮止めされた状態で前記押し付け面を平面に展開した平面視において、隣接する前記貼付剤のいずれかの縁辺から前記凸部の中心までの距離が、前記貼付剤のサイズ７ｃｍ×１０ｃｍを基準とする場合には２０ｍｍ以内、１０ｃｍ×１４ｃｍを基準とする場合には２５ｍｍ以内、１４ｃｍ×２０ｃｍを基準とする場合には３０ｍｍ以内となることを特徴とする、前記貼付剤の貼付用補助具。